(57)【要約】【課題】ゴルフカートに雨水などが付着している場合であっても、ズボンに雨水が付着してしまうことを防止し、座り心地が良好で、ゴルフカートのシートを傷つけずに、排水性、通気性が良好であり、衛生的に使用できるゴルフカート用マットを提供する。【解決手段】上面２ａの凸部６ａが下面では凹部６ｂ、下面２ｂの凸部８ａとなる部分が上面では凹部８ｂとなる態様で、上面２ａおよび下面２ｂにそれぞれ矩形平板状の単位格子Ａ，Ｂが千鳥状に配設されており、上面２ａ側で凸となる単位格子Ａは中央に孔１０の開いた矩形平板状であり、下面側で凸となる単位格子Ｂは、中央に孔の開いていない矩形平板状であるとともに、この下面側で凸８ａとなる単位格子Ｂの一対の両側部には水抜き溝１２が形成されていることを特徴としている。【選択図】  図１
2004194750.tif 000002
【特許請求の範囲】
【請求項１】
上面の凸部となる部分が下面では凹部となり下面の凸部となる部分が上面では凹部となる態様で、上面および下面にそれぞれ矩形平板状の単位格子が千鳥状に配設されており、上面側で凸となる単位格子は中央に孔の開いた矩形平板状であり、下面側で凸となる単位格子は、中央に孔の開いていない矩形平板状であるとともに、この下面側で凸となる単位格子の一対の両側部には水抜き溝が形成されていることを特徴とするゴルフカート用マット。
【請求項２】
前記上面および下面における前記矩形平板状の単位格子は、面取りされていることを特徴とする請求項１に記載のゴルフカート用マット。
【請求項３】
前記一対の両側部には、隣りに配置される他のシートを連結するための係合凸部と、この係合凸部に着脱自在に係止される係合凹部とが、それぞれ具備されていることを特徴とする請求項１または２に記載のゴルフカート用マット。
【発明の詳細な説明】
【０００１】
【発明の属する技術分野】
本発明は、雨の日などにゴルフカートを使用した場合に、ズボンなどが濡れてしまうのを防止するゴルフカート用マットに関するものである。
【０００２】
【従来の技術】
若い女性から老年に至るまで、スポーツが盛んに行なわれている。
このようなゴルフは、競技中にかなりの移動を伴うため、ゴルフカートを用いて移動する場合がある。しかしながら、雨の日にゴルフカートを使用すると、仮に雨がやんだとしても、濡れたカートの座席に座ることにより、競技者はズボンなどを濡らしてしまうことになる。
【０００３】
【発明が解決しようとする課題】
そこで、今日では、例えば、雨の日にゴルフカートを使用した場合に、搭乗者のズボンなどが濡れないようにするため、繊維状のシートカバーが提供されている（例えば、特許文献１参照）。
また、ゴルフカートのシート上にプラスチック製のスノコなども提供されている。
【０００４】
しかしながら、繊維状のシートカバーでは、雨が小ぶりか、あるいは雨が完全にやんだ後に取付けて使用することは仮にできたとしても、常時取付けた状態にしておくと、使用する前に水を吸って濡れてしまう。また、雨の日に取付けたとしても、長時間使用していると、結局カバー自体が水を吸い込んでしまい、プレイヤーのズボンなどを濡らしてしまうことになる。
【０００５】
さらに、繊維状のシートカバーの場合は、乾燥に時間がかかり、不衛生であるという問題があった。
また、従来のプラスチック製スノコの場合は、角部が角張っているため、でん部を刺激して、座り心地が悪いという不具合があった。
さらに、従来のプラスチック製のスノコは、荷重によりゴルフカートのシートが擦れて傷つけてしまうという問題もあった。
【０００６】
また、従来のプラスチック製のスノコでは、通水性、通気性が十分でないことから、不衛生になるという問題があった。
本発明は、このような実状に鑑み、ゴルフカートに雨水などが付着している場合であっても、ズボンに雨水が付着してしまうことを防止し、座り心地が良好で、ゴルフカートのシートを傷つけずに、排水性、通気性が良好であり、衛生的に使用できるゴルフカート用マットを提供することを目的としている。
【０００７】
【特許文献１】
特開２０００−１２０３９４号公報（第１頁、第４図）
【０００８】
【課題を解決するための手段】
上記目的を達成するための本発明に係るゴルフカート用マットは、
上面の凸部となる部分が下面では凹部となり下面の凸部となる部分が上面では凹部となる態様で、上面および下面にそれぞれ矩形平板状の単位格子が千鳥状に配設されており、上面側で凸となる単位格子は中央に孔の開いた矩形平板状であり、下面側で凸となる単位格子は、中央に孔の開いていない矩形平板状であるとともに、この下面側で凸となる単位格子の一対の両側部には水抜き溝が形成されていることを特徴としている。
【０００９】
係る構成による本発明によれば、上下両面に矩形平板状の単位格子が形成されているので、ゴルフカートを使用する人は、単位格子に形成された面の上に座ることになるので、痛みを感じることは少ない。
さらに、単位格子に孔と水抜き溝とが形成されていることから、極めて良好な排水性と、通気性を得ることができる。
【００１０】
ここで、本発明では、前記上面および下面における前記矩形平板状の単位格子は、面取りされていることが好ましい。
このような構成であれば、座った場合に、でん部が痛くなることをより一層防止することができる。また、面取りすることにより、結果的に平面部が少なくなるので、水たまりを無くすことができる。
【００１１】
また、前記一対の両側部には、隣りに配置される他のシートを連結するための係合凸部と、この係合凸部に着脱自在に係止される係合凹部とが、それぞれ具備されていることが好ましい。
このような構成であれば、２つまたは３つと並べて使用した場合に、連結体として、互いの位置を移動不能に固定し、一体化することができる。
【００１２】
なお、洗浄する場合は、取り外して行なうことができる。
【００１３】
【発明の実施の形態】
以下、図面に示した実施例を参照しながら本発明を説明する。
図１および図２は、本発明に係るゴルフカート用マットの一実施例を示したもので、図１はゴルフカート用マット２の上面図、図２はその下面図である。
このゴルフカート用マット２は、低密度ポリエチレン（ＬＤＰＥ）などの合成樹脂からなるもので、全体的に適度な柔軟性と充分な排水性とが具備されている。
【００１４】
すなわち、このゴルフカート用マット２の上面２ａには、矩形平板状の単位格子Ａが、下面２ｂには、それぞれ矩形平板状の単位格子Ｂが多数配列されている。また、図１および図１のＡ−Ａ線の断面である図３に示したように、上面２ａ側に形成された単位格子Ａは、その上面２ａ側で凸部６ａとなる部分が、下面２ｂ側では凹部６ｂとなっている。一方、図２および図３に示したように、下面２ｂ側に形成された単位格子Ｂは、下面２ｂ側で凸部８ａとなる部分が、上面２ａ側では凹部８ｂを構成している。
【００１５】
さらに、図１、図３および図４に示したように、上面２ａ側で単位格子Ａを構成する矩形平板状の凸部６ａは、中央に矩形の孔１０が形成されている。したがって、凸部６ａでは、孔１０を除いた残りの部分により枠が形成されている。
一方、図２に示したように、下面２ｂで単位格子Ｂを構成する矩形平板状の凸部８ａは、中央に孔が形成されていない。しかしながら、凸部８ａは、図１、図３および図４に示したように、両側に水抜き溝１２，１２が形成されている。
【００１６】
一方、このように形成された上下両面の単位格子Ａ，Ｂは、それらの角部がそれぞれ面取りされている。
このように、単位格子Ａの角部が全て面取りされていれば、この上に人が座った場合に、でん部が角部に当たるのではなく、丸くなった部分と平らな面が当たるので、痛くなることはない。また、裏側の単位格子Ｂでは、面取りされた部分が、カートのシート表面に当たるので、使用中に多少のずれがあったとしても、シートを傷つけたり、破いたりすることを防止することができる。
【００１７】
また、面取りされていることにより、結果的に平面部を少なくすることができるので、水たまりを無くすことができる。
さらに、下面２ｂ側の単位格子Ｂには、図３および図４に示したように、両側に一対の水抜き溝１２が形成されているので、この水抜き溝１２を介してシート表面に滞っている雨水あるいは、搭乗者からこぼれた雨水などを外方に速やかに排出することができる。したがって、排水性が良好であることは勿論のこと、通風性も確保されるので、極めて衛生的である。
【００１８】
また、図１および図４に示したように、コーナ部近傍の側面に予めバンド通し用の開口２８を設けておくことが好ましい。
さらに、マット本体の一対の側壁には、互いに隣りあうマット同士を連結するための連結手段を設けることもできる。この連結手段は、どのような形状であってもよいが、例えば、互いに相補的な形状であることが好ましい。このような形状であれば、互いに突き合わせて連結した場合に、隙間なく緊密に連結することができる。
【００１９】
図１および図２に示したように、本実施例による係合凸部Ｃは、略台形状の枠体からなるもので、係合凹部Ｄは、この枠体を収容することのできる溝から形成されている。
このような係合凸部Ｃおよび係合凹部Ｄは、互いに嵌合し合う形状であれば、如何なる態様であってもよい。
【００２０】
このような係合凸部Ｃと係合凹部Ｄとがそれぞれ形成されていれば、図５に示したように、横一列に並べて配置することもできる。
勿論、図６に示したように、一つ一つを単独で使用することもできる。
本実施例によるゴルフカート用マット２は、上記のように構成されているが、以下にその作用について説明する。
【００２１】
例えば、ゴルフカート用マット２は、図５に示したように、横に３個並べる場合、あるいは図６に示したように、２個を別々に並べるなどしてゴルフカートの後列あるいは前列のシート上に並べられる。
なお、２つあるいは３つを並べて配置するその場合には、互いに隣接しあう両側の係合凸部Ｃと係合凹部Ｄとをそれぞれ組み付けることにより、図５に示したように、隙間なく一体化し、しかもその移動を防止することができる。
【００２２】
さらに、これらのマット２をゴルフカートのシートに取り付けるにあたり、ベルト３０などの帯状体を用意し、上記したベルトを通す開口２８に挿通することにより、マット２をゴルフカートのシートに対して一体的に取り付けることができる。
また、マットを外して掃除をしたい場合には、ベルト３０などを取り外せば良い。
【００２３】
このようにして設置されたゴルフカート用のマット２に、ゴルファーなどが座った場合は、荷重により、単位格子Ａ，Ｂが変形するので、クッション性が発揮される。また、水抜き溝１２が予め形成されているので、この水抜き溝１２から積極的に排水することができる。また、ゴルフカートのシート表面に対し、マットの厚さＳが加わるため、雨水などがシートの表面に付着しているとしても、その水がカートの搭乗者に付着してしまうことを防止することができる。
【００２４】
以上、本発明の一実施例について説明したが、本発明は上記実施例に何ら限定されない。
例えば、上記実施例では、裏面側に形成される単位格子Ｂには、水抜き溝１２が形成されているのみで、中央部に孔が形成されていないが、この単位格子Ｂの中央に矩形あるいは円形の孔を設けることもできる。
【００２５】
また、連結するための係合凸部Ｃあるいは係合凹部Ｄは、実施例の形状に何ら限定されない。
さらに、本実施例によるゴルフカート用マットは、ゴルフカートに限定されず、屋外で使用される作業車、あるいは遊園地の乗り物などに取付けて使用することもできる。
【００２６】
また、上記実施例によるゴルフカート用マットは、略矩形状に形成されているが、連結手段を具備しなくて良い場合などには、半円形などにすることもできる。
【００２７】
【発明の効果】
以上説明したように、本発明に係るゴルフカート用マットによれば、上下両面に矩形平板状の単位格子が形成されているので、ゴルフカートを使用する人は、単位格子に形成された面の上に座ることになるので、痛みを感じることはない。
さらに、単位格子に孔と水抜き溝とが形成されていることから、極めて良好な排水性と、通気性を得ることができる。
【００２８】
また、座った場合に、面取りされていることから、でん部が痛くなることをより一層防止することができ、座り心地も良好である。
さらに、面取りすることにより、平面部を少なくすることができるので、水たまりを防止することができる。
また、前記マット本体の一対の両側部には、隣りに配置される他のシートを連結するための係合凸部と、この係合凸部に着脱自在に係止される係合凹部とが、それぞれ具備されていれば、２つまたは３つと並べた場合に、連結体として、互いの位置を移動不能に一体化することができる。
【００２９】
また、常時取付けた状態としても、水はけが良く、通風性も良好であるので、雨が降ったときに限らず、天気に係わらず、晴れた日から取付けておくことができる。
このように本発明に係るゴルフカート用マットによれば、雨の日であっても競技者がカートの使用を気軽に使用することができる。
【図面の簡単な説明】
【図１】図１は本発明の一実施例に係るゴルフカート用マットの上面側の斜視図である。
【図２】図２は、同実施例によるゴルフカート用マットの下面側の斜視図である。
【図３】図３は、図２のＡ−Ａ線方向の断面図である。
【図４】図４は図１の一部を拡大して示した平面図である。
【図５】図５は一実施例により形成されたマットをゴルフカートのシートに３つ並べたときの使用状態を示した斜視図である。
【図６】図６は一実施例により形成されたマットをゴルフカートのシートに２つを離間して並べたときの斜視図である。
【符号の説明】
２     ゴルフカート用マット
２ａ   上面
２ｂ   下面
６ａ   凸部
６ｂ   凹部
８ａ   凸部
８ｂ   凹部
１０   孔
１２   水抜き溝
３０   ベルト
Ａ，Ｂ 単位格子
Ｂ     単位格子
Ｃ     係合凸部
Ｄ     係合凹部
【図１】
2004194750.tif 000003
【図２】
2004194750.tif 000004
【図３】
2004194750.tif 000005
【図４】
2004194750.tif 000006
【図５】
2004194750.tif 000007
【図６】
2004194750.tif 000008